(57)【特許請求の範囲】
【請求項１】
電気回路部を内蔵し、この電気回路部作動用の電池を収納するための電池収納室が露出形成されて成る本体に対して、前記電池収納室を閉塞するための電池蓋をスライドさせて保持させるための構造であって、
前記本体の両側に沿って、それぞれ同一方向に向かってその本体の端部に伸び前記電池蓋の長短の各突起が填り込む両ガイド溝を設け、これらの各ガイド溝を、２段階に深くなった、浅い方の第１溝および前記長い方の突起が填り込む深い方の第２溝により形成して成ることを特徴とする電池蓋の保持構造。
【請求項２】
前記各突起として、前記ガイド溝の中央寄りおよび基部寄りに対応する前記電池蓋の位置に、それぞれ中央寄り突起および基部寄り突起を含むとともに、前記ガイド溝に対応する前記電池蓋の位置に、前記第１溝に填り込む第１突起と、前記第２溝に填り込む第２突起とを含み、
前記本体に前記電池蓋が取り付けられる際に、前記電池蓋における前記第１突起および前記第２突起を前記本体側に異なるタイミングで２段に分けて寄せる第１段差および第２段差を、それぞれ前記第１溝および前記第２溝に形成して成ることを特徴とする請求項１記載の電池蓋の保持構造。
【請求項３】
前記各突起として、前記各ガイド溝の端部側に対応する前記電池蓋の位置に、係止用突起を含み、
前記各ガイド溝の端部側に、前記本体に前記電池蓋が取り付けられた際に前記係止用突起が填り込む固定用溝を設けたことを特徴とする請求項２記載の電池蓋の保持構造。
【請求項４】
前記本体はボディおよびカバーにより成り、前記電池収納室および各ガイド溝を前記カバーに設け、前記ボディに前記固定用溝を形成する突起部を設けて、前記本体に前記電池蓋が取り付けられた際の前記係止用突起に対応する前記カバーの各ガイド溝の位置に、孔を穿設したことを特徴とする請求項３記載の電池蓋の保持構造。
【請求項５】
前記第１突起は、前記基部寄り突起よりも前記ガイド溝の基部側に形成されている一方、前記第２突起は、前記基部寄り突起よりも前記ガイド溝の端部側に形成され、
前記本体に前記電池蓋が取り付けられる際に、前記第２突起および前記第２溝の前記第２段差により、前記電池蓋が前記本体側に寄り、この後、前記第１突起および前記第１溝の前記第１段差により、前記電池蓋が前記本体側にさらに寄ることを特徴とする請求項２から４のいずれかに記載の電池蓋の保持構造。
【発明の詳細な説明】
【０００１】
【発明の属する技術分野】
本発明は、電気回路部を内蔵し、この電気回路部作動用の電池を収納するための一の方向に開口する電池収納室が形成されて成る本体に対して、電池収納室の開口を閉塞するための電池蓋を保持させるための電池蓋の保持構造に関するものである。
【０００２】
【従来の技術】
従来、電池収納室が形成されて成る本体に電池蓋をスライド保持させる場合、電池蓋は電池収納室の開口に沿って平行にのみスライドする。
【０００３】
【発明が解決しようとする課題】
上述の電池蓋が電池収納室の開口に沿って平行にのみスライドする構造では、電池蓋がスライド開閉するために電池蓋内に突起は設けられない。これでは本体の薄型化を図るのが困難となる場合があるほか、電池蓋をスムーズにスライドさせることができない。
【０００４】
本発明は、上記事情に鑑みてなされたものであり、本体の薄型化を図ることができるとともに、スライド操作をスムーズにすることが可能となる電池蓋の保持構造を提供することを目的とする。
【０００５】
【課題を解決するための手段】
上記課題を解決するための本発明は、電気回路部を内蔵し、この電気回路部作動用の電池を収納するための電池収納室が露出形成されて成る本体に対して、前記電池収納室を閉塞するための電池蓋をスライドさせて保持させるための電池蓋の保持構造であって、前記本体の両側に沿って、それぞれ同一方向に向かってその本体の端部に伸び前記電池蓋の長短の各突起が填り込む両ガイド溝を設け、これらの各ガイド溝を、２段階に深くなった、浅い方の第１溝および前記長い方の突起が填り込む深い方の第２溝により形成して成ることを特徴とする（請求項１）。
なお、各ガイド溝に当該ガイド溝の基部側を、電池蓋側から本体側の方向にずらす段差を設けてもよい。例えば、前記各突起として、前記ガイド溝の中央寄りおよび基部寄りに対応する前記電池蓋の位置に、それぞれ中央寄り突起および基部寄り突起を含むとともに、前記ガイド溝に対応する前記電池蓋の位置に、前記第１溝に填り込む第１突起と、前記第２溝に填り込む第２突起とを含み、前記本体に前記電池蓋が取り付けられる際に、前記電池蓋における前記第１突起および前記第２突起を前記本体側に異なるタイミングで２段に分けて寄せる第１段差および第２段差を、それぞれ前記第１溝および前記第２溝に形成して成る構造でもよい（請求項２）。
【０００６】
また、前記各突起として、前記各ガイド溝の端部側に対応する前記電池蓋の位置に、係止用突起を含み、前記各ガイド溝の端部側に、前記本体に前記電池蓋が取り付けられた際に前記係止用突起が填り込む固定用溝を設けた構造でもよい（請求項３）。
【０００７】
また、前記本体はボディおよびカバーにより成り、前記電池収納室および各ガイド溝を前記カバーに設け、前記ボディに前記固定用溝を形成する突起部を設けて、前記本体に前記電池蓋が取り付けられた際の前記係止用突起に対応する前記カバーの各ガイド溝の位置に、孔を穿設した構造でもよい（請求項４）。
さらに、前記第１突起は、前記基部寄り突起よりも前記ガイド溝の基部側に形成されている一方、前記第２突起は、前記基部寄り突起よりも前記ガイド溝の端部側に形成され、前記本体に前記電池蓋が取り付けられる際に、前記第２突起および前記第２溝の前記第２段差により、前記電池蓋が前記本体側に寄り、この後、前記第１突起および前記第１溝の前記第１段差により、前記電池蓋が前記本体側にさらに寄る構造でもよい（請求項５）。
【０００８】
【発明の実施の形態】
図１は本発明の一実施形態に係る電池蓋の保持構造を示す斜視図、図２は図１の電池蓋の保持構造を適用して成る電子機器の斜視図、図３は図２に示す電子機器を、電池蓋を半開き状態にして見た図、図４は図２の分解斜視図、図５は電池蓋の一部を後方側から見た図で、これらの図を用いて以下に本実施形態の説明を行う。ただし、図１に示す前後上下左右を基準にして説明を行う。
【０００９】
本実施形態の電池蓋の保持構造は、電気回路部（図示せず）を内蔵しこの電気回路部作動用の電池（例えば単４型電池２本）を収納するための前方に開口する電池収納室１２０（図３参照）が形成されて成る本体１に対して、電池収納室１２０の開口を閉塞するための電池蓋２をスライドさせて保持させるための構造であって、図２〜図４に示すように、本体１と、電池蓋２と、液晶表示パネル３などを有する上記電気回路部と、この電気回路部のスイッチオン用のスイッチ操作部材４と、上記電気回路部に対する各種設定用のスイッチ操作部材５とを備える電子機器に適用されている。電子機器の例としては、ページャや携帯用ゲーム機器などを挙げることができ、本実施形態では、ページャに適用した構造になっている。
【００１０】
本体１は、図４に示すように、ともに樹脂製のボディ１１およびカバー１２により構成され、ボディ１１は、前方に開口する箱状に形成され、内部の４隅近傍の各々に、ねじＳ挿通用の孔を中央に有する円筒状の突部１１０を有し、内部の左右両側の下端近傍にそれぞれ外向きで前後方向に伸びる溝１１１ａが形成された突起部１１１を有している。また、ボディ１１には、スイッチ操作部材４の操作面を外部に露出させるためのＵ字状の溝１１２が右側壁上方寄りに形成されている。
【００１１】
他方、カバー１２は、ボディ１１の開口を閉塞する形状に形成され、電池収納室１２０および液晶表示パネル３に対応する長方形状の窓孔１２１をそれぞれ前面下側および上側に有している。また、カバー１２の内部の４隅近傍であって、ボディ１１の４隅近傍に設けられた各突部１１０に対応する位置に、ねじ止め用の孔を有する突部（図示せず）が設けられている。また、カバー１２には、スイッチ操作部材４の操作面を外部に露出させるためのＵ字状の溝１２２が右側壁上方寄りに形成され、図３に示すように、スイッチ部材５に一体に設けられた円状の操作面を外部に露出させるための一対の孔１２３が電池収納室１２０の上方側に穿設されている。また、カバー１２には、当該カバー１２の前面上方側を一段高くする段差面１２４が窓孔１２１の下方側に設けられており、その段差面１２４には左右両側寄りに一対の孔１２５が穿設されている。また、図１および図４に示すように、カバー１２の下側壁の左右両側寄りにも一対の孔１２６が穿設されている。さらに、カバー１２には、電池収納室１２０側の当該カバー１２の左右両側に沿って、それぞれ下方の端部に伸びる２段階に深くなったガイド溝１２７が設けられている。すなわち、各ガイド溝１２７は、浅い方の溝１２７ａと、この溝１２７ａよりも前後方向に短く１段深くなった深い方の溝１２７ｂとにより成り、ボディ１１の突起部１１１の溝１１１ａを外部に露出させるための孔１２７ｃを下端側に有している。そして、孔１２７ｃから露出する突起部１１１の先端は、図１に示すように、ガイド溝１２７の途中まで突出しており、突起部１１１の先端とガイド溝１２７の前方側内面との間に隙間が設けられている。
【００１２】
ここで、図６に電池蓋を閉めた状態の電子機器の右側面などを示し、図７に電池蓋を開けた状態の電子機器の右側面などを示す。ただし、図６（ａ）および図７（ａ）はともに電子機器を右方から見た図、図６（ｂ）および図７（ｂ）はそれぞれ図６（ａ）のＡ部分および図７（ａ）のＢ部分の拡大図、図６（ｃ）および（ｄ）はそれぞれ図６（ｂ）のＡ１−Ａ１線およびＡ２−Ａ２線から見た断面図、図７（ｃ）および（ｄ）はそれぞれ図７（ｂ）のＢ１−Ｂ１線およびＢ２−Ｂ２線から見た断面図である。
【００１３】
上述の各ガイド溝１２７には、図６（ｂ），図７（ｂ）に示すように、途中、当該ガイド溝１２７の深い方の溝１２７ｂの基部（上方）側を後方にずらす段差１２７ｄが設けられ、さらにその段差１２７ｄの上方には、当該ガイド溝１２７の浅い方の溝１２７ａの基部側を後方にずらす段差１２７ｅが設けられている。
【００１４】
図３および図４に戻って、電池蓋２は、電池収納室１２０を含めたカバー１２の前面下側を覆う形状に形成され、左端および右端の各々に後方に伸びる側壁２０を有しているとともに、下端にも後方に伸びる側壁２１を有している。また、電池蓋２の上端の左右両側寄りには、カバー１２の一対の孔１２５にそれぞれ嵌入される一対の突起２２が形成されている。また、図１に示すように、下端の側壁２１の内面の左右両側寄りには、カバー１２の一対の孔１２６にそれぞれ嵌入される一対の突起２３（図１では右方のみ図示）が形成されている。また、左端および右端の各側壁２０の内面には、対応するガイド溝１２７の深い方の溝１２７ｂに填り込む突起２０ａが下方および中央寄りにそれぞれ形成され、これら各突起２０ａよりも前後方向に厚みが薄く深い方の溝１２７ｂに填り込む突起２０ｂが上方寄りに形成されている。さらに、図１および図５に示すように、その突起２０ｂの上方側には、浅い方の溝１２７ａに填り込む突起２０ｃが形成されている一方、下方側には深い方の溝１２７ｂに填り込む突起２０ｄが形成されている。
【００１５】
次に、上記構成の電子機器の組立手順の一例を説明する。まず、電気回路部およびスイッチ操作部材４，５などを内部の所定位置に収納しながら、ボディ１１およびカバー１２を組み合わせ、続いて、ボディ１２の後方から各突部１１０の孔にねじＳを挿通してねじ止めを行う。これにより、ボディ１１およびカバー１２が互いに固定される。
【００１６】
この後、電池蓋２の両突起２０ｃ，２０ｂ，２０ｄ（詳しくは両突起２０ｃ，２０ｃ、両突起２０ｂ，２０ｂ、両突起２０ｄ，２０ｄ）を順次それぞれ両ガイド溝１２７（１２７，１２７）に填め込みながら電池蓋２をスライドさせ、さらに電池蓋２の中央および下方寄りの両突起２０ａ，２０ａ（中央寄りの両突起２０ａ，２０ａ、下方寄りの両突起２０ａ，２０ａ）を順次それぞれ両ガイド溝１２７に填め込みながら電池蓋２をスライドさせて、電池蓋２を本体１に取付固定する。ここで、この本体１への電池蓋２の取付固定における各突起の動きについてさらに詳述すると、まず、電池蓋２の両突起２０ｃはボディ１１の両突起部１１１の溝１１１ａ側を乗り越えながらスライドし、両突起２０ｂは、突起部１１１の先端とガイド溝１２７の前方側内面との間の隙間１２７ｆを通過しながらスライドし、続いて両突起２０ｄは両突起部１１１の溝１１１ａ側を乗り越えながらスライドする。そして、中央寄りの両突起２０ａがボディ１１の両突起部１１１を通過した後、下方寄りの両突起２０ａが両突起部１１１を通過する際に、深い方の両溝１２７ｂ（１２７ｂ，１２７ｂ）にそれぞれ填り込む両突起２０ｄ（２０ｄ，２０ｄ）が、後方にずれる溝１２７ｂの段差１２７ｄを通過し（図６，図７参照）、このとき、クリック感が得られるとともに、電池蓋２の両突起２０ｄ側がカバー２側（後方側）に寄る。そして、浅い方の両溝１２７ａ（１２７ａ，１２７ａ）にそれぞれ填り込む両突起２０ｃが、後方にずれる溝１２７ａの段差１２７ｅをほぼ通過すると、電池蓋２の両突起２０ｃ側がさらにカバー２側に寄って密着し、このとき、電池蓋２の各突起２２，２３が対応するカバー１２の各孔１２５，１２６にそれぞれ嵌入するとともに、下方寄りの両突起２０ａがそれぞれボディ１１の両突起部１１１の溝１１１ａに填り込む。
【００１７】
以上、電池収納室１２０側の本体１の左右両側に沿って、それぞれ下方の端部に伸びる２段階に深くなったガイド溝１２７を設け、電池蓋２に各ガイド溝１２７に対応する突起２０ａ，２０ｂ，２０ｃ，２０ｄを形成し、浅い方の溝１２７ａおよび深い方の溝１２７ｂの２箇所で電池蓋２のスライド動作を規制するようにしたので、電池蓋２を本体１に対して平行にした状態でスムーズにスライドさせることができる。
【００１８】
また、スライド用機構および本体１への電池蓋２の固定用機構としてのガイド溝１２７、突起２０ａ，２０ｂ，２０ｃ，２０ｄおよび突起部１１１の溝１１１ａがガイド溝１２７の前後方向の幅内に収まるので、また図１に示すように、突起２３および孔１２６をガイド溝１２７の幅内に収まるように設けてあるので、電子機器の小型（薄型）化が可能になる。さらに、本体１内に収納する部品の関係で、カバー１２の下端側には前方に突出する凸部１２ａが形成されているが、この凸部１２ａに対応する凹部２ａを電池蓋２がスライドして沈み込む分に合わせて電池蓋２に設けてあるので（つまりそのような凸部が局所的に存在していても、スライドして沈み込む分だけ大きな凹所を電池蓋２に設けるだけでよいので）、電子機器の小型（薄型）化が可能になる。
【００１９】
また、電池蓋２の両突起２０ｃがボディ１１の両突起部１１１の溝１１１ａ側を乗り越えながらスライドするように構成されるので、電池を交換するために電池蓋２を開けた際、電池蓋２の両突起２０ｃがボディ１１の両突起部１１１で掛止することになるので、本体１からの電池蓋２の脱落を防止することができる。
【００２０】
さらに、ガイド溝１２７に段差を設けたので、電池蓋２を本体１に好適なタイミングで密着させることができるとともに、本体１への電池蓋２の固定をより好適にするための両突起２２を、対応する両孔１２５により適切に案内することができる。換言すると、電池蓋２を開閉する際、電池蓋２はガイド溝１２７に規制されるものの本体１から浮いた状態になるので（電池蓋２の後方の面と本体１の前方の面とが当接しないので）、本体１に対する電池蓋２の開閉操作時の負荷を軽減することが可能になる。
【００２１】
なお、本実施形態では、図３などに示すように、電池蓋２は、液晶表示パネル３のある前方に設けられる構造になっているが、これに限らず、後方に設けられる構造でもよい。
【００２２】
以上のことから明らかなように、請求項１記載の発明によれば、各ガイド溝を、２段階に深くなった、浅い方の第１溝および長い方の突起が填り込む深い方の第２溝により形成したので、本体の薄型化を図ることができる。また、電池蓋のスライド時の動きが両ガイド溝とこれらの各ガイド溝に填り込む長短の各突起で規制されるから、電池蓋のスライド操作をスムーズにすることが可能となる。
請求項２記載の発明によれば、第１および第２段差により電池蓋を好適なタイミングで本体側に寄せたり密着させたりすることが可能になる。
【００２３】
請求項３記載の発明によれば、スライド機構および本体への電池蓋の固定機構としてのガイド溝、各突起および固定用溝がガイド溝の幅内に収まるので、本発明を適用した機器の小型化が可能になる。
【００２４】
請求項４記載の発明によれば、本発明を適用した機器の小型化が可能になる。
請求項５記載の発明によれば、電池蓋を好適なタイミングで本体側に寄せたり密着させたりすることができる。
【図面の簡単な説明】
【図１】本発明の一実施形態に係る電池蓋の保持構造を示す斜視図である。
【図２】図１の電池蓋の保持構造を適用して成る電子機器の斜視図である。
【図３】図２に示す電子機器を、電池蓋を半開き状態にして見た図である。
【図４】図２の分解斜視図である。
【図５】電池蓋の一部を後方側から見た図である。
【図６】電池蓋を閉めた状態の電子機器の右側面などを示す図である。
【図７】電池蓋を開けた状態の電子機器の右側面などを示す図である。
【符号の説明】
１  本体
１１  ボディ
１１０  突部
１１１  突起部
１１１ａ  溝
１１２  溝
１２  カバー
１２０  電池収納室
１２１  窓孔
１２２  溝
１２３  孔
１２４  段差面
１２５  孔
１２６  孔
１２７  ガイド溝
１２７ａ  溝
１２７ｂ  溝
１２７ｃ  孔
１２７ｄ  段差
１２７ｅ  段差
２  電池蓋
２０  側壁
２１  側壁
２２  突起
２３  突起
２０ａ  突起
２０ｂ  突起
２０ｃ  突起
２０ｄ  突起
【図１】
0003671801.tif 000002
【図２】
0003671801.tif 000003
【図３】
0003671801.tif 000004
【図４】
0003671801.tif 000005
【図５】
0003671801.tif 000006
【図６】
0003671801.tif 000007
【図７】
0003671801.tif 000008